(57)【要約】【課題】  金型の点数および成型工程を削減して製造された保持器を備える自動調心ころ軸受を提供する。【解決手段】  自動調心ころ軸受１１は、内輪１２と、外輪１３と、球面ころ１４と、保持器１５とを備える複列の自動調心ころ軸受である。保持器１５は、一対のリング部をなす大径リング部および小径リング部と、リング部の間に位置する複数の柱部とを備える。そして、この保持器の小径リング部の外径寸法は、大径リング部の内径寸法より小さく、小径リング部側から見た樹脂製保持器１５の外径寸法は単調に増加し、大径リング部側から見た樹脂製保持器１５の内径寸法は単調に減少する形状となっている。【選択図】      図１
2007024116.tif 000002
【特許請求の範囲】
【請求項１】
内輪と、
外輪と、
前記内輪および前記外輪の間に配置された複数の球面ころと、
径の異なる一対のリング部および前記一対のリング部の間に位置する柱部を有する樹脂製保持器とを備え、
小径リング部の外径寸法は、大径リング部の内径寸法より小さく、
前記小径リング部側から見た前記樹脂製保持器の外径寸法は単調増加し、
前記大径リング部側から見た前記樹脂製保持器の内径寸法は単調減少する、自動調心ころ軸受。
【請求項２】
前記柱部は、その側壁面に２つの金型の合わせ面に対応して軸方向に延びるパーティングラインを有する、請求項１に記載の自動調心ころ軸受。
【請求項３】
径の異なる一対のリング部および前記一対のリング部の間に位置する柱部を有し、隣接する前記柱部の間に球面ころを収容するポケットを有する自動調心ころ軸受用樹脂製保持器であって、
小径リング部の外径寸法は、大径リング部の内径寸法より小さく、
前記小径リング部側から見た前記樹脂製保持器の外径寸法は単調増加し、
前記大径リング部側から見た前記樹脂製保持器の内径寸法は単調減少する、自動調心ころ軸受用樹脂製保持器。
【請求項４】
径の異なる一対のリング部および前記一対のリング部の間に位置する柱部を有し、隣接する前記柱部の間に球面ころを収容するポケットを有する樹脂製保持器製造用金型であって、
前記樹脂製保持器の内径壁面、大径リング部の外側端面、小径リング部の内側端面、および前記柱部のポケット壁面に対応する面を有する第１の金型と、
前記樹脂製保持器の外径壁面、小径リング部の外側端面、大径リング部の内側端面、および前記柱部のポケット壁面に対応する面を有する第２の金型とを備える、樹脂製保持器製造用金型。
【請求項５】
径の異なる一対のリング部および前記一対のリング部の間に位置する柱部を有し、隣接する前記柱部の間に球面ころを収容するポケットを有する自動調心ころ軸受用樹脂製保持器の製造方法であって、
前記樹脂製保持器の内径壁面、大径リング部の外側端面、小径リング部の内側端面、および前記柱部のポケット壁面に対応する面を有する第１の金型と、前記樹脂製保持器の外径壁面、小径リング部の外側端面、大径リング部の内側端面、および前記柱部のポケット壁面に対応する面を有する第２の金型とを組み合わせる工程と、
前記第１の金型および前記第２の金型の間に形成された空間に樹脂を注入する工程と、
前記第１の金型と、前記第２の金型とを軸方向に抜くことによって、前記樹脂製保持器を取り出す工程とを有する、自動調心ころ軸受用樹脂製保持器の製造方法。
【発明の詳細な説明】
【技術分野】
【０００１】
この発明は、自動調心ころ軸受に関し、特に樹脂製保持器を備えた自動調心ころ軸受、および自動調心ころ軸受用樹脂製保持器の製造方法に関するものである。
【背景技術】
【０００２】
従来の自動調心ころ軸受は、例えば、特開平６−８９７８１号公報（特許文献１）に記載されている。同公報に記載されている自動調心ころ軸受は、内輪と、外輪と、内輪および外輪の間に配置された球面ころと、球面ころの間隔を保持する保持器とを備える。
【０００３】
この自動調心ころ軸受に使用される保持器は、図４に示すように、一対のリング部５ａおよび５ｂと、一対のリング部５ａ，５ｂの間に複数の柱部５ｃとを備え、隣接する柱部５ｃの間に球面ころを収容する複数のポケット５ｄが形成されている。
【０００４】
このような保持器５は、例えば、保持器５を射出成型によって製造される。この場合、軸方向に組み合わせて保持器５の外形を成型する外形型と、ポケット５ｄを形成する複数のポケット型とが必要となる。
【特許文献１】特開平６−８９７８１号公報
【発明の開示】
【発明が解決しようとする課題】
【０００５】
上記のような保持器５を射出成型する場合、外径型は左右から軸方向に組み合わせるのに対して、ポケット型は径方向に放射状に移動することになるので、射出成型機の動きが複雑になる。また、成型後の保持器５の複数のポケット５ｄ一つ一つからポケット型を抜かなければならないので、成型工程の増大の原因となる。
【０００６】
さらに、近年の保持器５の改良に伴ってポケット５ｄの形状も複雑となっているので、ポケット５ｄの数だけ必要なポケット型のコストが製品コストに与える影響は大きい。
【０００７】
そこで、この発明の目的は、金型の点数および成型工程を削減して製造された保持器を備える自動調心ころ軸受を提供することである。また、そのような保持器の製造方法および製造に使用する金型を提供することを目的とする。
【課題を解決するための手段】
【０００８】
この発明に係る自動調心ころ軸受は、内輪と、外輪と、内輪および外輪の間に配置された複数の球面ころと、径の異なる一対のリング部および一対のリング部の間に位置する柱部を有する樹脂製保持器とを備える。そして、樹脂製保持器の小径リング部の外径寸法は、大径リング部の内径寸法より小さく、小径リング部側から見た樹脂製保持器の外径寸法は単調増加し、大径リング部側から見た樹脂製保持器の内径寸法は単調減少する。
【０００９】
上記構成の樹脂製保持器は、小径リング部側から見ると対面する全ての面が投影され、大径リング部側から見ても対面する全ての面が投影されるので、ポケット型を用いることなく保持器を成型することが可能となる。その結果、製造コストを抑えた自動調心ころ軸受を得ることが可能となる。
【００１０】
好ましくは、柱部は、その側壁面に２つの金型の合わせ面に対応して軸方向に延びるパーティングラインを有する。上記構成の保持器は、軸方向に２つの金型を組み合わせることで成型が可能となる。このとき、２つの金型の境界がポケット内部に位置するので、パーティングラインが柱部のポケット壁面に形成される。なお、本明細書中「パーティングライン」とは、２つの金型の境界に生じる段差を指すものとする。
【００１１】
この発明に係る自動調心ころ軸受用樹脂製保持器は、径の異なる一対のリング部および一対のリング部の間に位置する柱部を有し、隣接する柱部の間に球面ころを収容するポケットを有する。そして、樹脂製保持器の小径リング部の外径寸法は、大径リング部の内径寸法より小さく、小径リング部側から見た樹脂製保持器の外径寸法は単調増加し、大径リング部側から見た樹脂製保持器の内径寸法は単調減少する。
【００１２】
上記構成の自動調心ころ軸受用樹脂製保持器は、製造にポケット型を必要としないので、金型のコストを抑え、かつ、製造工程を簡素化することができる。その結果、製造コストを抑えた自動調心ころ軸受用樹脂製保持器を得ることができる。
【００１３】
この発明に係る樹脂製保持器製造用金型は、径の異なる一対のリング部および一対のリング部の間に位置する柱部を有し、隣接する柱部の間に球面ころを収容するポケットを有する。そして、樹脂製保持器製造用金型は、樹脂製保持器の内径壁面、大径リング部の外側端面、小径リング部の内側端面、および柱部のポケット壁面に対応する面を有する第１の金型と、樹脂製保持器の外径壁面、小径リング部の外側端面、大径リング部の内側端面、および柱部のポケット壁面に対応する面を有する第２の金型とを備える。
【００１４】
上記構成の金型は、樹脂製保持器の外径面のみならずポケットの内壁面をも成型することができるので、ポケット型が不要となり、金型の部品点数を削減することが可能となる。これにより、金型の製作コストが削減できるので、結果として、この金型によって製造された保持器を備える自動調心ころ軸受の製造コストを抑えることが可能となる。なお、本明細書中「樹脂製保持器の内径壁面」とは、一対のリング部の内径面および柱部の内径側の壁面を指すものとする。また、本明細書中「樹脂製保持器の外径壁面」とは、一対のリング部の外径面および柱部の外径側の壁面を指すものとする。
【００１５】
この発明に係る自動調心ころ軸受用樹脂製保持器の製造方法は、径の異なる一対のリング部および一対のリング部の間に位置する柱部を有し、隣接する柱部の間に球面ころを収容するポケットを有する自動調心ころ軸受用樹脂製保持器の製造する方法である。具体的には、第１の工程は、樹脂製保持器の内径壁面、大径リング部の外側端面、小径リング部の内側端面、および柱部のポケット壁面に対応する面を有する第１の金型と、樹脂製保持器の外径壁面、小径リング部の外側端面、大径リング部の内側端面、および柱部のポケット壁面に対応する面を有する第２の金型とを組み合わせる工程である。第２の工程は、第１の金型および第２の金型の間に形成された空間に樹脂を注入する工程である。第３の工程は、第１の金型と、第２の金型とを軸方向に抜くことによって、樹脂製保持器を取り出す工程である。
【００１６】
上記のように、成型後の樹脂製保持器の複数のポケットから一つずつポケット型を抜く工程が必要なくなるので、製造工程を簡素化することが可能となる。その結果、低廉な自動調心ころ軸受用保持器を得ることができる。
【発明の効果】
【００１７】
ポケット型を必要としない形状とすることにより、金型の部品点数が削減でき、かつ、製造工程を簡素化した樹脂製保持器を得ることができる。また、そのような保持器を使用することにより、低廉な自動調心ころ軸受を得ることができる。
【発明を実施するための最良の形態】
【００１８】
図１および図２を参照して、この発明の一実施形態に係る自動調心ころ軸受１１を説明する。
【００１９】
自動調心ころ軸受１１は、図１に示すように、内輪１２と、外輪１３と、内輪１２および外輪１３の間に複列に配置された球面ころ１４と、球面ころ１４の間隔を保持する保持器１５とを備える複列の自動調心ころ軸受である。
【００２０】
保持器１５は、図２に示すように、一対のリング部をなす大径リング部１５ａおよび小径リング部１５ｂと、一対のリング部１５ａ，１５ｂの間に位置する複数の柱部１５ｃとを備え、隣接する柱部１５ｃの間に球面ころ１４を収容する複数のポケット１５ｄを有する。また、この保持器１５は、樹脂材料を射出成型によって成型した樹脂製保持器である。
【００２１】
そして、この保持器１５の小径リング部１５ｂの外径寸法は、大径リング部１５ａの内径寸法より小さく、小径リング部１５ｂ側から見た保持器１５の外径寸法は単調に増加し、大径リング部１５ａ側から見た保持器１５の内径寸法は単調に減少する形状となっている。
【００２２】
上記構成の保持器１５は、小径リング部１５ｂ側から見ると対面する全ての面が投影され、大径リング部１５ａ側から見ても対面する全ての面が投影されるので、ポケット型を用いることなく保持器１５を成型することが可能となる。その結果、保持器１５の製造コストを抑えることができ、低廉な自動調心ころ軸受を得ることが可能となる。
【００２３】
次に、図３を参照して、この発明の一実施形態に係る樹脂製保持器製造用金型を説明する。
【００２４】
保持器１５の製造に使用される金型は、第１の金型２１と第２の金型２２とを有する。第１の金型２１は、保持器１５の内径壁面に対応する面２１ａと、大径リング部１５ａの外側端面に対応する面２１ｂと、小径リング部１５ｂの内側端面に対応する面２１ｃと、柱部１５ｃのポケット壁面に対応する面２１ｄとを有する。第２の金型２２は、保持器１５の外径壁面に対応する面２２ａと、小径リング部１５ｂの外側端面に対応する面２２ｂと、大径リング部１５ａの内側端面に対応する面２２ｃと、柱部１５ｃのポケット壁面に対応する面２２ｄとを有する。
【００２５】
上記構成の金型２１，２２は、保持器１５の外径面のみならずポケットの内壁面をも成型することができるので、ポケット型が不要となり、金型の部品点数を削減することが可能となる。これにより、金型の製作コストが削減できるので、結果として、金型２１，２２によって製造された保持器１５を備える自動調心ころ軸受１１の製造コストを抑えることが可能となる。
【００２６】
次に、上記の金型２１，２２を使用して保持器１５を製造する方法を説明する。
【００２７】
まず、第１の工程として、第１の金型２１と、第２の金型２２とを組み合わせて内部に保持器１５の形状に相当する空間をつくる。第２の工程として、金型に設けられた注入口（図示せず）から金型内部の空間に樹脂を注入して、樹脂が硬化するのを待つ。そして、第３の工程として、第１の金型２１と、第２の金型２２とをそれぞれ軸方向に抜くことによって、保持器１５を取り出す。
【００２８】
上記の製造方法では、複数のポケット１５ｄからポケット型を一つずつ抜く工程が必要なくなるので、製造工程を簡素化することが可能となる。その結果、保持器１５の製造コストを抑えることができ、低廉な自動調心ころ軸受１１を得ることができる。また、上記の製造方法において、金型２１，２２は軸方向にしか動かないので、射出成型機の動きを簡素化することができる。
【００２９】
なお、この保持器１５は、２つの金型２１，２２によって成型されるので、図２に示すように、２つの金型２１，２２の境界部分である柱部１５ｃのポケット壁面にパーティングライン１５ｅが形成される。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３１】
この発明は、樹脂製保持器を備える自動調心ころ軸受に有利に利用される。
【図面の簡単な説明】
【００３２】
【図１】この発明の一実施形態に係る自動調心ころ軸受を示す図である。
【図２】図１に示す保持器の部分拡大図である。
【図３】図２に示す保持器の製造工程の一部を示す図解的断面図である。
【図４】従来の自動調心ころ軸受に使用された保持器の部分拡大図である。
【符号の説明】
【００３３】
１１  自動調心ころ軸受、１２  内輪、１３  外輪、１４  球面ころ、５，１５  保持器、５ａ，５ｂ  リング部、１５ａ  大径リング部、１５ｂ  承継リング部、５ｃ，１５ｃ  柱部、５ｄ，１５ｄ  ポケット、１５ｅ  パーティングライン、２１，２２  金型。
【図１】
2007024116.tif 000003
【図２】
2007024116.tif 000004
【図３】
2007024116.tif 000005
【図４】
2007024116.tif 000006